(57)【要約】【課題】リード線が外れる可能性を低減できる分岐器及びインターホンシステムを提供する。【解決手段】分岐器２は、第１通線部Ｓ１と、第２通線部Ｓ２と、を含む。第１通線部Ｓ１には、一対の入力リード線Ｌ１、Ｌ２、一対の出力リード線Ｌ３、Ｌ４及び一対の分岐リード線Ｌ５、Ｌ６の第１部位が第１方向に沿って通される。第２通線部Ｓ２には、一対の入力リード線Ｌ１、Ｌ２、一対の出力リード線Ｌ３、Ｌ４及び一対の分岐リード線Ｌ５、Ｌ６の第２部位が第１方向と交差する第２方向に沿って通される。【選択図】図１
2019091832.tif 000002
【特許請求の範囲】
【請求項１】
箱状の本体部と、
一端が前記本体部の内部に位置し、他端が前記本体部の外部に位置する一対の入力リード線と、
一端が前記本体部の内部において前記一対の入力リード線に電気的に接続され、他端が前記本体部の外部に位置する一対の出力リード線と、
一端が前記本体部の内部において前記一対の入力リード線に電気的に接続され、他端が前記本体部の外部に位置する一対の分岐リード線と、を備え、
前記一対の入力リード線、前記一対の出力リード線及び前記一対の分岐リード線の各々は、前記一端と前記他端との間の中間部の一部からなる第１部位と、前記中間部のうち、前記第１部位とは別の一部からなる第２部位と、を含み、
前記一対の入力リード線、前記一対の出力リード線及び前記一対の分岐リード線の前記第１部位が第１方向に沿って通される第１通線部と、
前記一対の入力リード線、前記一対の出力リード線及び前記一対の分岐リード線の前記第２部位が前記第１方向と交差する第２方向に沿って通される第２通線部と、を含む
分岐器。
【請求項２】
前記一対の入力リード線、前記一対の出力リード線及び前記一対の分岐リード線の各々において、前記中間部は、前記第１部位と前記第２部位との間で、前記本体部の外部において曲がる
請求項１記載の分岐器。
【請求項３】
前記本体部には、前記第１通線部の少なくとも一部を構成する貫通孔が形成されており、
前記本体部の外部において前記貫通孔の開口面と対向する位置に配置され、前記本体部との間に前記第２通線部を形成する壁部を更に備える
請求項２記載の分岐器。
【請求項４】
前記第１通線部は、前記本体部の内部に位置する
請求項１記載の分岐器。
【請求項５】
前記本体部は、ボディと、前記ボディに結合されるカバーと、を含み、
前記第１通線部及び前記第２通線部は、前記ボディと前記カバーとの間に形成されている
請求項４記載の分岐器。
【請求項６】
前記本体部の内部において保持されており、配線が形成されている回路基板を更に備え、
前記一対の入力リード線、前記一対の出力リード線及び前記一対の分岐リード線の各々の前記一端は、前記回路基板に接続されており、
前記一対の入力リード線は、前記回路基板の前記配線を介して前記一対の出力リード線及び前記一対の分岐リード線と電気的に接続されている
請求項１〜５のいずれか一項に記載の分岐器。
【請求項７】
請求項１〜６のいずれか一項に記載の分岐器を複数備え、
前記複数の分岐器に電気的に接続される複数の住戸端末と、
前記複数の分岐器を介して前記複数の住戸端末に電気的に接続され前記複数の住戸端末と通信する通信装置と、を更に備える
インターホンシステム。
【発明の詳細な説明】
【技術分野】
【０００１】
本発明は分岐器及びインターホンシステムに関し、より詳細には、複数のリード線を備える分岐器及びこの分岐器を複数備えるインターホンシステムに関する。
【背景技術】
【０００２】
従来例として特許文献１記載の映像ペア線式分岐／分配器を例示する。特許文献１記載の映像ペア線式分岐／分配器は、例えば集合住宅通話システムに使用できる。特許文献１記載の映像ペア線式分岐／分配器では、電線配装用の溝内に電線を配装し、電線の心線を速結端子に差し込むことで結線する。
【先行技術文献】
【特許文献】
【０００３】
【特許文献１】特開平０８−１７１９４６号公報
【発明の概要】
【発明が解決しようとする課題】
【０００４】
しかしながら、特許文献１記載の映像ペア線式分岐／分配器では、電線が引っ張られる等により電線に力が加えられると、映像ペア線式分岐／分配器から電線（リード線）が外れる可能性があった。
【０００５】
本発明は、リード線が外れる可能性を低減できる分岐器及びこの分岐器を複数備えるインターホンシステムを提供することを目的とする。
【課題を解決するための手段】
【０００６】
上記の課題を解決するために、本発明の一態様に係る分岐器は、箱状の本体部と、一対の入力リード線と、一対の出力リード線と、一対の分岐リード線と、を備える。前記一対の入力リード線は、一端が前記本体部の内部に位置し、他端が前記本体部の外部に位置する。前記一対の出力リード線は、一端が前記本体部の内部において前記一対の入力リード線に電気的に接続され、他端が前記本体部の外部に位置する。前記一対の分岐リード線は、一端が前記本体部の内部において前記一対の入力リード線に電気的に接続され、他端が前記本体部の外部に位置する。前記一対の入力リード線、前記一対の出力リード線及び前記一対の分岐リード線の各々は、前記一端と前記他端との間の中間部の一部からなる第１部位と、前記中間部のうち、前記第１部位とは別の一部からなる第２部位と、を含む。前記分岐器は、第１通線部と、第２通線部と、を含む。前記第１通線部には、前記一対の入力リード線、前記一対の出力リード線及び前記一対の分岐リード線の前記第１部位が第１方向に沿って通される。前記第２通線部には、前記一対の入力リード線、前記一対の出力リード線及び前記一対の分岐リード線の前記第２部位が前記第１方向と交差する第２方向に沿って通される。
【０００７】
本発明の一態様に係るインターホンシステムは、前記分岐器を複数備える。前記インターホンシステムは、複数の住戸端末と、通信装置と、を更に備える。前記複数の住戸端末は、前記複数の分岐器に電気的に接続される。前記通信装置は、前記複数の分岐器を介して前記複数の住戸端末に電気的に接続され前記複数の住戸端末と通信する。
【発明の効果】
【０００８】
本発明の一態様に係る分岐器及びインターホンシステムでは、リード線が外れる可能性を低減できる。
【図面の簡単な説明】
【０００９】
【図１】図１は、実施形態１に係る分岐器の前側から見た斜視図である。
【図２】図２は、同上の分岐器の分解図である。
【図３】図３は、同上の分岐器の後側から見た斜視図である。
【図４】図４は、同上の分岐器において、本体部から取付部を分離した状態を示す斜視図である。
【図５】図５は、同上の分岐器の断面斜視図である。
【図６】図６は、同上の分岐器の断面図である。
【図７】図７は、同上の分岐器の回路図である。
【図８】図８は、実施形態１に係るインターホンシステムのブロック図である。
【図９】図９は、実施形態２に係る分岐器の分解斜視図である。
【図１０】図１０は、同上の分岐器のボディの平面図である。
【発明を実施するための形態】
【００１０】
以下、実施形態に係る分岐器及びインターホンシステムについて、図面を用いて説明する。ただし、以下に説明する実施形態は、本開示の様々な実施形態の一部に過ぎない。下記の実施形態は、本開示の目的を達成できれば、設計等に応じて種々の変更が可能である。
【００１１】
以下の実施形態で説明する分岐器は、集合住宅等に設けられるインターホンシステム１（図８参照）に備えられる。インターホンシステム１では、複数の分岐器２（図８参照）を用いたバス配線により、複数の住戸端末８１（図８参照）と通信装置８２（図８参照）とが電気的に接続されている。これにより、通信装置８２は、複数の住戸端末８１と通信することができる。
【００１２】
（１）実施形態１
（１．１）分岐器の外観形状
図１、２に示すように、分岐器２は、筐体３と、一対の入力リード線Ｌ１、Ｌ２と、一対の出力リード線Ｌ３、Ｌ４と、一対の分岐リード線Ｌ５、Ｌ６と、を備えている。分岐器２は、一対の終端リード線Ｌ７、Ｌ８を更に備えている。以下では、入力リード線Ｌ１、Ｌ２、出力リード線Ｌ３、Ｌ４及び分岐リード線Ｌ５、Ｌ６をまとめて、リード線Ｌ１〜Ｌ６と称す。また、入力リード線Ｌ１、Ｌ２、出力リード線Ｌ３、Ｌ４、分岐リード線Ｌ５、Ｌ６及び終端リード線Ｌ７、Ｌ８をまとめて、リード線Ｌ１〜Ｌ８と称す。
【００１３】
筐体３は、箱状の本体部３０と、取付部４と、を有している。本体部３０は、ボディ３ａと、ボディ３ａに結合されるカバー３ｂと、を含む。ボディ３ａは、一の面３０６（図３参照）に開口部３０ａが形成された箱状（直方体状）に形成されている。カバー３ｂは、開口部３０ａを塞ぐように、ボディ３ａに結合される。
【００１４】
ボディ３ａは、カバー３ｂに対向する板状の対向部３５ａと、第１、第２、第３及び第４側壁３１ａ、３２ａ、３３ａ及び３４ａと、を含む。第１、第２、第３及び第４側壁３１ａ、３２ａ、３３ａ及び３４ａは、対向部３５ａの厚み方向に沿って対向部３５ａの周縁から突出している。第１側壁３１ａと第２側壁３２ａとが互いに対向し、第３側壁３３ａと第４側壁３４ａとが互いに対向している。
【００１５】
以下、特に断りのない限り、図２においてカバー３ｂと対向部３５ａとが互いに対向する方向を前後方向とし、カバー３ｂ側を後、対向部３５ａ側を前とする。第１側壁３１ａと第２側壁３２ａとが互いに対向する方向を上下方向とし、第１側壁３１ａ側を上、第２側壁３２ａ側を下とする。第３側壁３３ａと第４側壁３４ａとが互いに対向する方向を左右方向とし、第３側壁３３ａ側を左、第４側壁３４ａ側を右とする。
【００１６】
開口部３０ａが形成された直方体状のボディ３ａにおいて、開口部３０ａ側とは反対側（前側）の４つの頂点に相当する領域にはそれぞれ、凹部３００が形成されている。これら４つの凹部３００の底面には、貫通孔３０１が形成されている。すなわち、ボディ３ａには、４つの貫通孔３０１が形成されている。
【００１７】
取付部４は、本体部３０につながっている。より詳細には、取付部４は、本体部３０と一体に形成されている。
【００１８】
取付部４は、第１側壁３１ａの後端から上向きに突出している。取付部４は、取付部４を貫通する取付孔４０が形成された板状に形成されている。より詳細には、取付部４は、前後方向から見て半円状の構造に取付孔４０が形成されることにより、前後方向から見てＵ字状に形成されている。前後方向から見てＵ字状の取付部４の２つの端は、第１側壁３１ａにつながっている。
【００１９】
筐体３は、例えば、取付部４の取付孔４０に通されたねじ４６を、取付対象（建物の壁等）にねじ込むことにより、取付対象に取り付けられる。ねじ４６は、例えば木ねじである。
【００２０】
図３に示すように、本体部３０の後面３０５は、ボディ３ａの開口部３０ａが形成された一の面３０６と、開口部３０ａに挿入されたカバー３ｂの後面３０７と、を含む。後面３０５は、平状に形成されている。取付部４は、後面３０５に沿って本体部３０から突出している。より詳細には、取付部４の後面４０５は、本体部３０の後面３０５と面一である。後面３０５は、筐体３の取付対象（建物の壁等）との対向面である。
【００２１】
図１、２に示すように、取付孔４０は、だるま孔である。取付孔４０は、第１孔４１と、第１孔４１につながった第２孔４２と、を有している。第２孔４２は、第１孔４１と一方向（上下方向）に並んでいる。第２孔４２は、第１孔４１と第１側壁３１ａとの間に形成されている。第１孔４１及び第２孔４２は、上に凸の鐘形状に形成されている。第１孔４１と第２孔４２とが並んでいる一方向（上下方向）と直交する方向（左右方向）において、第２孔４２の幅Ｄ２は、第１孔４１の幅Ｄ１よりも大きい。
【００２２】
取付部４は、分離部４３を有している。取付部４は、分離部４３において、本体部３０（ボディ３ａ）から分離可能である。分離部４３は、２つの薄肉部４４を含む。２つの薄肉部４４は、取付部４における本体部３０（ボディ３ａ）との境界部分に形成されている。つまり、２つの薄肉部４４は、取付部４のうち、第１側壁３１ａにつながっている２つの端に１つずつ形成されている。２つの薄肉部４４は、取付部４における２つの薄肉部４４以外の部位よりも厚みが小さい。より詳細には、取付部４は、２つの薄肉部４４において、側面視三角形状の溝状に窪んでいる。
【００２３】
取付孔４０は、取付部４における本体部３０（ボディ３ａ）との境界部分の一部まで延びている。すなわち、取付部４における本体部３０（ボディ３ａ）との境界部分には、分離部４３と、取付孔４０の一部とが形成されている。
【００２４】
２つの薄肉部４４を軸に取付部４が本体部３０（ボディ３ａ）に対して折り曲げられることにより、２つの薄肉部４４が破断する。これにより、取付部４は、分離部４３（２つの薄肉部４４）において本体部３０（ボディ３ａ）から分離する（図４参照）。
【００２５】
ボディ３ａは、ボス部３ｃを更に含む。ボス部３ｃは、略有底円筒状に形成されている。ボス部３ｃは、カバー３ｂをボディ３ａに結合するためのねじ３ｄが後方からねじ込まれるねじ穴３０ｃを有している。ボス部３ｃは、第３側壁３３ａの外面（面３３０ａ）から突出している。ボス部３ｃの軸方向は、前後方向に沿っており、第３側壁３３ａの外面（面３３０ａ）と略平行である。
【００２６】
図５は、前後方向と直交する面及び上下方向と直交する面において分岐器２を切断した断面図である。図６は、上下方向と直交する面において分岐器２を切断した断面図である。図５、６に示すように、ボディ３ａの第４側壁３４ａには、複数（図５では２つ）の挿入孔３４１が形成されている。複数の挿入孔３４１には、カバー３ｂの後述の複数の爪部３２１が挿入される。また、ボディ３ａは、第４側壁３４ａから本体部３０の内部に向かって突出している保持爪３４２と、第３側壁３３ａから本体部３０の内部に向かって突出している保持爪３３２と、を更に含む。分岐器２は、回路実装基板５を更に備えている。回路実装基板５の後述の回路基板５１が保持爪３４２、３３２に引っ掛けられることにより、回路基板５１が本体部３０の内部において保持される。
【００２７】
図１、２に示すように、カバー３ｂは、厚み方向が前後方向に沿った平板状のカバー本体３１ｂと、周壁部３２ｂと、第１突出壁３３ｂと、第２突出壁３４ｂと、段部３５ｂと、を含む。分岐器２は、カバー３ｂと一体に形成された出張り部３ｅを更に備えている。
【００２８】
カバー本体３１ｂは、ボディ３ａの開口部３０ａを塞ぐ長方形状に形成されている。周壁部３２ｂは、カバー本体３１ｂの周縁のうち、上辺付近の領域と、下辺付近の領域と、右辺と、左辺の一部とに形成されている。周壁部３２ｂは、カバー本体３１ｂの厚み方向に沿ってカバー本体３１ｂから前方へ突出している。第１突出壁３３ｂは、カバー３ｂにおける上辺付近の領域に形成されている。第１突出壁３３ｂは、カバー本体３１ｂの厚み方向に沿って周壁部３２ｂから前方へ突出している。第２突出壁３４ｂは、カバー３ｂにおける下辺付近の領域に形成されている。第２突出壁３４ｂは、カバー本体３１ｂの厚み方向に沿って周壁部３２ｂから前方へ突出している。第１、第２突出壁３３ｂ、３４ｂは、開口部３０ａを通ってボディ３ａの内部に挿入される。
【００２９】
図５に示すように、カバー３ｂは、周壁部３２ｂから外側へ突出した複数（図５では２つ）の爪部３２１を更に含む。複数の爪部３２１は、ボディ３ａの複数の挿入孔３４１に挿入される。
【００３０】
図１、２に示すように、出張り部３ｅは、カバー本体３１ｂの周縁からカバー本体３１ｂの面方向に沿って左方へ突出している。カバー３ｂがボディ３ａに結合されているとき、出張り部３ｅは、本体部３０の外部に位置する（図１参照）。出張り部３ｅは、ボディ３ａのボス部３ｃのねじ穴３０ｃに対向するねじ挿通孔３０ｅを有している。複数の爪部３２１がボディ３ａの複数の挿入孔３４１に挿入された状態で、ねじ挿通孔３０ｅに通されたねじ３ｄが、ボス部３ｃのねじ穴３０ｃにねじ込まれることにより、カバー３ｂがボディ３ａに結合される。
【００３１】
出張り部３ｅは、第１壁部３１ｅ、第２壁部３２ｅ、第３壁部３３ｅ及び第４壁部３４ｅを含む。第１壁部３１ｅは、厚み方向が前後方向に沿った長方形の板状に形成されている。第２壁部３２ｅは、第１壁部３１ｅの上辺から前方に突出している。第３壁部３３ｅは、第１壁部３１ｅの左辺から前方に突出している。第４壁部３４ｅは、第１壁部３１ｅの下辺から前方に突出している。また、第３壁部３３ｅは、前端から後方に窪んだ窪み部３３０ｅを有している。第３壁部３３ｅは、窪み部３３０ｅにおける右側前端の角部に、面取りされた形状の面取り部３３１ｅ（図６参照）を有している。
【００３２】
段部３５ｂは、カバー３ｂにおける左側の領域に形成されている。段部３５ｂは、カバー本体３１ｂの厚み方向に沿ってカバー本体３１ｂから前方に突出している。段部３５ｂは、周壁部３２ｂと比べて前後方向に短い。カバー３ｂがボディ３ａに結合された状態で、段部３５ｂとボディ３ａの第３側壁３３ａとの間には、隙間（貫通孔３０２）が形成される（図１、５参照）。すなわち、本体部３０には、貫通孔３０２が形成されている。貫通孔３０２の前後方向の幅は、リード線Ｌ１〜Ｌ８の直径よりもわずかに大きい。本体部３０の第３側壁３３ａの外面（面３３０ａ）における貫通孔３０２の開口面は、第３壁部３３ｅに対向している。つまり、第３壁部３３ｅは、本体部３０の外部において貫通孔３０２の開口面と対向する位置に配置されている。
【００３３】
本体部３０のうち、取付部４につながっている面３１０ａ（第１側壁３１ａの外面）は、貫通孔３０２が形成されている面３３０ａ（第３側壁の外面）とは異なる面である。
【００３４】
回路実装基板５は、回路基板５１と、複数の電子部品（例えば、図７のトランス６７、コンデンサ６１〜６４及び抵抗６５、６６）と、を含む。回路基板５１は、本体部３０の内部において保持されている。回路基板５１には、リード線Ｌ１〜Ｌ８が接続されている。回路基板５１に接続されているリード線Ｌ１〜Ｌ８は、貫通孔３０２を通って、本体部３０の外部に引き出される。
【００３５】
リード線Ｌ１〜Ｌ６は、互いに同じ構成を有している。終端リード線Ｌ７、Ｌ８は、互いに同じ構成を有している。図２では、リード線Ｌ１〜Ｌ６を代表して入力リード線Ｌ１のみを図示し、終端リード線Ｌ７、Ｌ８を代表して終端リード線Ｌ７のみを図示している。
【００３６】
リード線Ｌ１〜Ｌ６の両端（第１端１０１及び第２端１０２）では、被覆１０３が剥かれて、被覆１０３の内側の芯線１０４が露出している。リード線Ｌ１〜Ｌ６では、両端から例えば２ｍｍ程度の長さの領域の芯線１０４が露出している。リード線Ｌ１〜Ｌ６の第１端１０１は、回路基板５１に接続されている。より詳細には、リード線Ｌ１〜Ｌ６の第１端１０１は、ボードインコネクタ５２（図６参照）を介して回路基板５１に接続されている。
【００３７】
終端リード線Ｌ７、Ｌ８の一端（第１端１１１）では、被覆１１３が剥かれて、被覆１１３の内側の芯線１１４が露出している。終端リード線Ｌ７、Ｌ８では、第１端１１１から例えば２ｍｍ程度の長さの領域の芯線１１４が露出している。終端リード線Ｌ７、Ｌ８の一端（第１端１１１）は、回路基板５１に接続されている。より詳細には、終端リード線Ｌ７、Ｌ８の第１端１１１は、ボードインコネクタ５２（図６参照）を介して回路基板５１に接続されている。
【００３８】
終端リード線Ｌ７、Ｌ８では、一端（第１端１１１）と他端（第２端１１２）との間の中間部１１５の一部（露出部１１５０）の芯線１１４が露出している。すなわち、終端リード線Ｌ７、Ｌ８では、先端（第１端１１１及び第２端１１２）とは異なる一部（露出部１１５０）の芯線１１４が露出している。より詳細には、終端リード線Ｌ７、Ｌ８では、第１端１１１と、露出部１１５０と、第２端１１２から露出部１１５０までの領域とにおいて、被覆１１３が剥かれている。さらに、終端リード線Ｌ７、Ｌ８では、被覆１１３が剥かれている部分のうち、第１端１１１及び露出部１１５０以外の部分にテープ１１６が巻かれている。テープ１１６は、電気絶縁性を有する。テープ１１６は、被覆１１３の内側の芯線１１４を構成する多数の細い線を束ねている。
【００３９】
したがって、終端リード線Ｌ７、Ｌ８の芯線１１４は、第１端１１１と露出部１１５０とのみにおいて露出している。終端リード線Ｌ７、Ｌ８を出力リード線Ｌ３、Ｌ４に接続する際には、作業者は、テープ１１６を除去して、テープ１１６の内側の芯線１１４を露出させる。
【００４０】
（１．２）リード線の配置
次に、図５、６を参照して、分岐器２におけるリード線Ｌ１〜Ｌ８の配置について説明する。図５、６では図を簡略化するためリード線Ｌ１〜Ｌ８のうち入力リード線Ｌ１のみを図示している。以下の説明では、入力リード線Ｌ１の配置についてのみ説明するが、リード線Ｌ１〜Ｌ８はそれぞれ同様に配置される。
【００４１】
第１端１０１（図２参照）が回路基板５１に接続された入力リード線Ｌ１は、回路基板５１から延びて貫通孔３０２に通される。したがって、入力リード線Ｌ１の第１端１０１は本体部３０の内部に位置し、第２端１０２は本体部３０の外部に位置する。そして、入力リード線Ｌ１の第１端１０１と第２端１０２との間の中間部１０５の一部からなる第１部位１０７は、貫通孔３０２の内部の空間である第１通線部Ｓ１に通される。また、入力リード線Ｌ１の中間部１０５のうち第１部位１０７とは別の一部からなる第２部位１０８は、本体部３０の外の第２通線部Ｓ２に通される。第２通線部Ｓ２は、第１壁部３１ｅ、第２壁部３２ｅ、第３壁部３３ｅ及び第４壁部３４ｅ（図１参照）と、本体部３０の第３側壁３３ａとにより囲まれている空間である。つまり、第３壁部３３ｅは、本体部３０の第３側壁３３ａとの間に第２通線部Ｓ２を形成している。第１通線部Ｓ１と第２通線部Ｓ２とは互いにつながっている。
【００４２】
本体部３０は、貫通孔３０２において左右方向に貫通している。すなわち、貫通孔３０２の内部の第１通線部Ｓ１は、左右方向（第１方向）に沿った空間である。入力リード線Ｌ１の第１部位１０７は、左右方向（第１方向）に沿って第１通線部Ｓ１に通される。つまり、入力リード線Ｌ１の第１部位１０７は、貫通孔３０２の内部において、貫通孔３０２の周りの第３側壁３３ａ及び段部３５ｂにガイドされることにより、左右方向に沿って第１通線部Ｓ１に通される。
【００４３】
ボディ３ａにカバー３ｂが結合されているとき、第２通線部Ｓ２は、第３壁部３３ｅにより左側から覆われており、貫通孔３０２が形成されている領域を除いて本体部３０の第３側壁３３ａ及びカバー３ｂの段部３５ｂにより右側から覆われている。すなわち、第２通線部Ｓ２は、左右方向（第１方向）と交差する前後方向（第２方向）に沿った空間である。また、第２通線部Ｓ２は、第１壁部３１ｅにより後側から覆われており、第２壁部３２ｅ及び第４壁部３４ｅ（図１参照）により上下から覆われている。
【００４４】
したがって、入力リード線Ｌ１において、中間部１０５の第２部位１０８は、前後方向（第２方向）に沿って第２通線部Ｓ２に通される。つまり、出張り部３ｅの第２壁部３２ｅ、第３壁部３３ｅ及び第４壁部３４ｅと、ボディ３ａの第３側壁３３ａとが前後方向に沿って形成されているので、中間部１０５の第２部位１０８は、第２壁部３２ｅ、第３壁部３３ｅ、第４壁部３４ｅ及び第３側壁３３ａの少なくとも１つにガイドされることにより、前後方向に沿って第２通線部Ｓ２に通される。入力リード線Ｌ１の第２端１０２は、第２通線部Ｓ２から、例えば、前方に引き出される。
【００４５】
入力リード線Ｌ１が本体部３０の内部から外部へ引き出される場合は、第１部位１０７が左右方向に沿って第１通線部Ｓ１へ通される。中間部１０５のうち第１部位１０７と第２部位１０８との間の部位は、例えば、第３壁部３３ｅに接して、左右に沿った向きから前後に沿った向きに変化するように曲がる。また、入力リード線Ｌ１が本体部３０の外部から内部へ引き込まれる場合は、第２部位１０８が例えば前後方向に沿って第２通線部Ｓ２へ通され、第１部位１０７が左右方向に沿って第１通線部Ｓ１に通される。したがって、中間部１０５のうち第１部位１０７と第２部位１０８との間の部位は、前後に沿った向きから左右に沿った向きに変化するように曲がる。
【００４６】
このように、入力リード線Ｌ１の中間部１０５は、第１部位１０７と第２部位１０８との間で、本体部３０の外部において曲がる。つまり、第１通線部Ｓ１と第２通線部Ｓ２とが、本体部３０の外部において交差しているので、入力リード線Ｌ１の中間部１０５は、第１通線部Ｓ１及び第２通線部Ｓ２に通されることにより、本体部３０の外部において曲がる。
【００４７】
上記の通り、入力リード線Ｌ１の第１部位１０７は左右方向（第１方向）に沿って第１通線部Ｓ１に通され、第２部位１０８は前後方向（第２方向）に沿って第２通線部Ｓ２に通される。したがって、入力リード線Ｌ１が引っ張られたとき、引っ張る力が左右方向及び前後方向に分散されやすいので、入力リード線Ｌ１が回路基板５１から外れる可能性を低減できる。さらに、入力リード線Ｌ１が引っ張られたとき、第１通線部Ｓ１及び第２通線部Ｓ２を形成している第２壁部３２ｅ、第３壁部３３ｅ、第４壁部３４ｅ（図１参照）及び第３側壁３３ａのうち少なくとも１つにリード線Ｌ１が引っ掛かると、回路基板５１付近でリード線Ｌ１に加わる力が低減する。これによっても、入力リード線Ｌ１が回路基板５１から外れる可能性を低減できる。
【００４８】
貫通孔３０２とカバー本体３１ｂとの距離は、貫通孔３０２と回路基板５１との距離よりも小さい。したがって、貫通孔３０２とカバー本体３１ｂとの距離が貫通孔３０２と回路基板５１との距離よりも大きい場合と比較して、入力リード線Ｌ１では、回路基板５１に接続されている第１端１０１（図２参照）付近における曲げ半径を、貫通孔３０２付近における曲げ半径よりも小さくすることができる。これにより、第１端１０１付近での入力リード線Ｌ１の曲げによる入力リード線Ｌ１のストレスを低減できる。本実施形態の入力リード線Ｌ１は、ボードインコネクタ５２を介して回路基板５１に接続されている。つまり、第１端１０１付近での入力リード線Ｌ１の曲げにより入力リード線Ｌ１がボードインコネクタ５２から抜けたり、ボードインコネクタ５２と接続される第１端１０１付近において入力リード線Ｌ１が疲労破壊したりする可能性を低減できる。本体部３０のうち貫通孔３０２の周りに位置する第３側壁３３ａとボードインコネクタ５２との間の距離は、貫通孔３０２とは反対側の第４側壁３４ａとボードインコネクタ５２との間の距離よりも大きい。
【００４９】
また、リード線Ｌ１〜Ｌ８は、第１通線部Ｓ１及び第２通線部Ｓ２において、上下方向に並んで配置される（図１参照）。
【００５０】
分岐器２を組み立てる手順の一例を説明する。まず、リード線Ｌ１〜Ｌ８が接続された回路基板５１を、ボディ３ａに保持する。次に、リード線Ｌ１〜Ｌ８を、貫通孔３０２が形成される領域を経由してボディ３ａの外に引き出す。この状態で、ボディ３ａにカバー３ｂを結合する。これにより、リード線Ｌ１〜Ｌ８は、貫通孔３０２を通って本体部３０の内部から外部へ引き出された状態となる。
【００５１】
次に、筐体３を取付対象に取り付ける手順について、図１、３を参照して説明する。ここでは、取付対象は、パイプシャフトの壁である。作業者は、パイプシャフトの壁に取り付けた板材（木板等）にねじ４６をねじ込んでから、取付孔４０の第２孔４２にねじ４６を通す。さらに、筐体３を移動させて、ねじ４６のねじ軸を第１孔４１に通す。これにより、筐体３は、板材を介してパイプシャフトの壁の表面に取り付けられる。作業者は、パイプシャフトの壁にはねじ４６をねじ込まなくてよい。筐体３の本体部３０のうち後面３０５が、板材を挟んでパイプシャフトの壁の表面に対向する。
【００５２】
（１．３）分岐器の回路構成
図７に示すように、回路実装基板５は、一対の入力接続端Ｅ１、Ｅ２と、一対の出力接続端Ｅ３、Ｅ４と、一対の分岐接続端Ｅ５、Ｅ６と、一対の終端接続端Ｅ７、Ｅ８と、終端回路７と、を更に含む。以下では、入力接続端Ｅ１、Ｅ２、出力接続端Ｅ３、Ｅ４、分岐接続端Ｅ５、Ｅ６及び終端接続端Ｅ７、Ｅ８をまとめて、接続端Ｅ１〜Ｅ８と称す。
【００５３】
接続端Ｅ１〜Ｅ８は、回路実装基板５の回路基板５１（図２参照）に設けられている。一対の入力接続端Ｅ１、Ｅ２には、一対の入力リード線Ｌ１、Ｌ２の一端（第１端１０１：図２参照）が接続されている。一対の出力接続端Ｅ３、Ｅ４には、一対の出力リード線Ｌ３、Ｌ４の一端（第１端１０１）が接続されている。一対の分岐接続端Ｅ５、Ｅ６には、一対の分岐リード線Ｌ５、Ｌ６の一端（第１端１０１）が接続されている。一対の終端接続端Ｅ７、Ｅ８には、一対の終端リード線Ｌ７、Ｌ８の一端（第１端１１１：図２参照）が接続されている。このように、各リード線Ｌ１〜Ｌ８の各々の一端は、回路基板５１に接続されている。各接続端Ｅ１〜Ｅ８は、例えば、ボードインコネクタ５２（図６参照）により構成されている。すなわち、リード線Ｌ１〜Ｌ８は、ボードインコネクタ５２により回路基板５１に接続されている。
【００５４】
回路基板５１（図２参照）には、配線Ｗ１〜Ｗ４が形成されている。配線Ｗ１〜Ｗ４は、回路基板５１にプリントされた導体により形成されている。配線Ｗ１は、入力接続端Ｅ１を出力接続端Ｅ３に電気的に接続している。配線Ｗ２は、入力接続端Ｅ２を出力接続端Ｅ４に電気的に接続している。配線Ｗ３は、配線Ｗ１から分岐しており、後述の信号分岐回路６を介して入力接続端Ｅ１を分岐接続端Ｅ５に電気的に接続している。配線Ｗ４は、配線Ｗ２から分岐しており、信号分岐回路６を介して入力接続端Ｅ２を分岐接続端Ｅ６に電気的に接続している。したがって、入力リード線Ｌ１、Ｌ２の一端（第１端１０１：図２参照）は、本体部３０（図１参照）の内部において、回路基板５１の配線Ｗ１〜Ｗ４を介して出力リード線Ｌ３、Ｌ４及び分岐リード線Ｌ５、Ｌ６と電気的に接続されている。
【００５５】
終端回路７は、分岐器２により形成される回路のインピーダンス整合を行う。終端回路７は、抵抗７１と、コンデンサ７２と、を含む。終端回路７は、抵抗７１とコンデンサ７２との直列回路である。終端回路７は、終端接続端Ｅ７、Ｅ８間に電気的に接続されている。終端回路７は無極性である。コンデンサ７２は、例えば、無極性電解コンデンサである。
【００５６】
終端回路７は、インターホンシステム１（図８参照）の幹線ＴＬ１（図８参照）の一部を構成する配線Ｗ１、Ｗ２に対して電気的に絶縁されている。出力リード線Ｌ３、Ｌ４を終端リード線Ｌ７、Ｌ８に接続することにより、終端回路７を配線Ｗ１、Ｗ２に電気的に接続することができる。
【００５７】
回路実装基板５は、信号分岐回路６を更に含む。信号分岐回路６は、４個のコンデンサ６１〜６４と、２個の抵抗６５、６６と、トランス６７と、２個のサージアブソーバ６８、６９と、幹線端子Ｔａ１、Ｔａ２と、分岐端子Ｔｂ１、Ｔｂ２と、を含む。信号分岐回路６は、幹線端子Ｔａ１、Ｔａ２を介して配線Ｗ３、Ｗ４に電気的に接続されており、分岐端子Ｔｂ１、Ｔｂ２を介して分岐接続端Ｅ５、Ｅ６に電気的に接続されている。
【００５８】
トランス６７は、幹線端子Ｔａ１、Ｔａ２側に一次巻線を有し、分岐端子Ｔｂ１、Ｔｂ２側に二次巻線を有している。トランス６７の一次巻線の両端と幹線端子Ｔａ１、Ｔａ２との間にはコンデンサ６１、６２が挿入され、トランス６７の二次巻線の両端と分岐端子Ｔｂ１、Ｔｂ２との間にはコンデンサ６３、６４が挿入されている。抵抗６５、６６は、トランス６７の一次巻線の両端とコンデンサ６１、６２との間に挿入されている。
【００５９】
リード線Ｌ１〜Ｌ８の被覆１０３、１１３（図２参照）は、リード線Ｌ１〜Ｌ８に対応する接続端Ｅ１〜Ｅ８の対ごとに色分けされている。具体的には、一対の入力接続端Ｅ１、Ｅ２に接続される一対の入力リード線Ｌ１、Ｌ２は、青色の被覆を有している。一対の出力接続端Ｅ３、Ｅ４に接続される一対の出力リード線Ｌ３、Ｌ４は、白色の被覆を有している。一対の分岐接続端Ｅ５、Ｅ６に接続される一対の分岐リード線Ｌ５、Ｌ６は、黄色の被覆を有している。一対の終端接続端Ｅ７、Ｅ８に接続される一対の終端リード線Ｌ７、Ｌ８は、黒色の被覆を有している。このように、被覆１０３、１１３は、一対の入力接続端Ｅ１、Ｅ２、一対の出力接続端Ｅ３、Ｅ４、一対の分岐接続端Ｅ５、Ｅ６及び一対の終端接続端Ｅ７、Ｅ８に、対ごとに異なる色を表示している表示部である。これにより、作業者は、一対の入力接続端Ｅ１、Ｅ２、一対の出力接続端Ｅ３、Ｅ４、一対の分岐接続端Ｅ５、Ｅ６及び一対の終端接続端Ｅ７、Ｅ８を、対ごとに識別可能である。
【００６０】
（１．４）インターホンシステムの構成
図８に示すように、インターホンシステム１は、複数（図８では３つ）の分岐器２と、複数（図８では３つ）の住戸端末８１と、通信装置８２と、を備えている。また、インターホンシステム１は、共用端末８３を更に備えている。
【００６１】
複数の住戸端末８１は、例えば、複数の住戸の室内に設置されている複数のインターホン親機である。共用端末８３は、例えば、集合住宅の共用玄関（ロビー）に設置されているロビーインターホン子機である。通信装置８２は、複数の住戸端末８１と共用端末８３との間の通信を中継する。通信装置８２は、例えば、集合住宅の管理室に設置されている。
【００６２】
以下では、複数の分岐器２をそれぞれ、第１分岐器２、第２分岐器２、……と称することがある。複数の分岐器２のうち、第１分岐器２（図８において最も下の分岐器２）の入力リード線Ｌ１、Ｌ２は、通信装置８２に接続されている。第１分岐器２の出力リード線Ｌ３、Ｌ４は、第２分岐器２（図８において中央の分岐器２）の入力リード線Ｌ１、Ｌ２に接続されている。第２分岐器２の出力リード線Ｌ３、Ｌ４は、第３分岐器２の入力リード線Ｌ１、Ｌ２に接続されている。第４分岐器２以降も同様に、複数の分岐器２が入力リード線Ｌ１、Ｌ２と出力リード線Ｌ３、Ｌ４とにより順送りに接続されている。互いに接続される入力リード線Ｌ１と通信装置８２との間、互いに接続される入力リード線Ｌ２と通信装置８２との間、互いに接続される入力リード線Ｌ１と出力リード線Ｌ３との間、及び、互いに接続される入力リード線Ｌ２と出力リード線Ｌ４との間には、それぞれ配線Ｗｔ１が接続されている。すなわち、インターホンシステム１は、複数の配線Ｗｔ１を更に備えている。
【００６３】
このように、複数の分岐器２の各々の入力リード線Ｌ１、Ｌ２、出力リード線Ｌ３、Ｌ４及び配線Ｗ１、Ｗ２（図７参照）と、複数の配線Ｗｔ１とは、幹線ＴＬ１を構成している。幹線ＴＬ１により、複数の分岐器２が通信装置８２に電気的に接続されている。
【００６４】
入力リード線Ｌ１、Ｌ２及び出力リード線Ｌ３、Ｌ４と複数の配線Ｗｔ１とは、例えば、圧着端子を用いて、かしめにより直接接続されている。なお、入力リード線Ｌ１、Ｌ２及び出力リード線Ｌ３、Ｌ４と複数の配線Ｗｔ１とは、端子台等を介して接続されてもよい。
【００６５】
複数の分岐器２のうち、第１分岐器２から電気的に最も離れた分岐器２（以下、終端分岐器２と称す）では、終端分岐器２の出力リード線Ｌ３、Ｌ４が終端分岐器２の終端リード線Ｌ７、Ｌ８に接続されている。つまり、終端分岐器２の出力接続端Ｅ３、Ｅ４が終端分岐器２の終端接続端Ｅ７、Ｅ８を介して終端回路７（図７参照）に電気的に接続されている。これにより、幹線ＴＬ１は、終端分岐器２の終端回路７において終端されている。図７の分岐器２では、出力リード線Ｌ３、Ｌ４が終端リード線Ｌ７、Ｌ８に接続されている。出力リード線Ｌ３、Ｌ４と終端リード線Ｌ７、Ｌ８とは、例えば、圧着端子を用いて、かしめにより直接接続されている。なお、出力リード線Ｌ３、Ｌ４と終端リード線Ｌ７、Ｌ８とは、端子台等を介して接続されてもよい。
【００６６】
終端回路７は無極性なので、出力接続端Ｅ３が終端接続端Ｅ７に電気的に接続され、出力接続端Ｅ４が終端接続端Ｅ８に電気的に接続されてもよいし、出力接続端Ｅ３が終端接続端Ｅ８に電気的に接続され、出力接続端Ｅ４が終端接続端Ｅ７に電気的に接続されてもよい。
【００６７】
複数の分岐器２は、複数の住戸端末８１に一対一で対応している。各分岐器２の分岐リード線Ｌ５、Ｌ６は、対応する住戸端末８１に接続されている。通信装置８２は、複数の分岐器２を介して複数の住戸端末８１に電気的に接続されている。また、通信装置８２は、共用端末８３と電気的に接続されている。これにより、複数の分岐器２は、各住戸端末８１と通信装置８２との間で通信信号を伝送することができる。
【００６８】
互いに接続される分岐リード線Ｌ５と住戸端末８１との間、及び、互いに接続される分岐リード線Ｌ６と住戸端末８１との間には、それぞれ配線Ｗｔ２が接続されている。すなわち、インターホンシステム１は、複数の配線Ｗｔ２を更に備えている。分岐リード線Ｌ５、Ｌ６と複数の配線Ｗｔ２とは、例えば、圧着端子を用いて、かしめにより直接接続されている。なお、分岐リード線Ｌ５、Ｌ６と複数の配線Ｗｔ２とは、端子台等を介して接続されてもよい。
【００６９】
共用端末８３は、複数の住戸のうち特定の住戸の部屋番号を指定することによる呼出操作を受け付ける。通信装置８２は、複数の住戸端末８１に一対一で対応する部屋番号を記憶している。共用端末８３に呼出操作がされると、通信装置８２は、呼出操作で指定された部屋番号に対応する住戸端末８１を、複数の住戸端末８１の中から特定する。通信装置８２は、１又は複数の分岐器２を介して、部屋番号に対応する住戸端末８１に所定の信号を伝達する。住戸端末８１は、所定の信号を受け取ると住人を呼び出すための呼出音を発する。さらに、住人が住戸端末８１に所定の操作をすると、住戸端末８１と共用端末８３とは、１又は複数の分岐器２及び通信装置８２を介して相互に通信が可能となる。住戸端末８１と共用端末８３との相互の通信は、例えば、音声信号及び映像信号等の通信信号により行われる。また、通信信号として、例えば、デジタル信号が用いられる。
【００７０】
（１．５）実施形態１の変形例
以下に、実施形態１の変形例を列挙する。以下の変形例は、適宜組み合わせて実現されてもよい。
【００７１】
本体部３０の内部において、リード線Ｌ１〜Ｌ８をガイドする構成が更に設けられていてもよい。例えば、ボディ３ａとカバー３ｂとのうち少なくとも一方から突出した壁部が設けられ、壁部がリード線Ｌ１〜Ｌ８をガイドするように構成されていてもよい。この場合に、壁部は、例えば左右方向と直交する面に沿って形成され、リード線Ｌ１〜Ｌ８を上下方向及び前後方向にガイドすればよい。つまり、本体部３０の内部において、壁部と、ボディ３ａの第３側壁３３ａとの間の空間が、リード線Ｌ１〜Ｌ８の中間部の一部を通すための通線部となる。
【００７２】
要するに、リード線Ｌ１〜Ｌ８の中間部の一部を通す第１通線部Ｓ１及び第２通線部Ｓ２に加えて、別の通線部を設けてもよい。
【００７３】
また、終端回路７は、抵抗７１とコンデンサ７２との少なくとも一方を含んでいればよい。
【００７４】
また、リード線Ｌ１〜Ｌ８は、ボードインコネクタ５２により回路基板５１に接続されることに限定されない。例えば、リード線Ｌ１〜Ｌ８は、別の形状のコネクタにより回路基板５１に接続されてもよいし、コネクタを用いずに、はんだ付け等により回路基板５１に直接接続されてもよい。
【００７５】
すなわち、各接続端Ｅ１〜Ｅ８の構成は、ボードインコネクタ５２に限定されない。各接続端Ｅ１〜Ｅ８の構成は、例えば、別の形状のコネクタであってもよいし、スルーホール等を介してリード線Ｌ１〜Ｌ８が接続できるように回路基板５１に形成されたランドであってもよい。
【００７６】
また、実施形態１の終端リード線Ｌ７、Ｌ８では、第１端１１１と、露出部１１５０と、第２端１１２から露出部１１５０までの領域とにおいて、被覆１１３が剥かれている。さらに、終端リード線Ｌ７、Ｌ８では、被覆１１３が剥かれている部分のうち、第１端１１１及び露出部１１５０以外の部分にテープ１１６が巻かれている。これに対して、終端リード線Ｌ７、Ｌ８は、第１端１１１の被覆１１３と、露出部１１５０の被覆１１３とのみが剥かれて、第２端１１２側の被覆１１３が残された状態であってもよい。つまり、終端リード線Ｌ７、Ｌ８は、いわゆるセミストリップされた状態であってもよい。
【００７７】
また、リード線Ｌ１〜Ｌ６の各々において、終端リード線Ｌ７、Ｌ８と同様に、第１端１０１の芯線１０４と、第１端１０１及び第２端１０２とは異なる一部（露出部）の芯線１０４とが露出していてもよい。この場合、リード線Ｌ１〜Ｌ６の各々がセミストリップされた状態であってもよいし、実施形態１の終端リード線Ｌ７、Ｌ８と同様に、リード線Ｌ１〜Ｌ６の各々の第２端１０２側にテープが巻かれていてもよい。
【００７８】
実施形態１の分岐器２は、一対の入力接続端Ｅ１、Ｅ２、一対の出力接続端Ｅ３、Ｅ４、一対の分岐接続端Ｅ５、Ｅ６及び一対の終端接続端Ｅ７、Ｅ８を備える２線信号線用の分岐器であるが、これに限定されず、３線信号線用の分岐器であってもよい。すなわち、分岐器２は、接続端Ｅ１〜Ｅ８に加えて別の接続端を備えていてもよい。また、分岐器２は、リード線Ｌ１〜Ｌ８に加えて別のリード線を備えていてもよい。
【００７９】
また、リード線Ｌ１〜Ｌ８を用いて接続端Ｅ１〜Ｅ８を相互に接続するのに代えて、例えば、次のように接続端Ｅ１〜Ｅ８を相互に接続してもよい。すなわち、リード線Ｌ１〜Ｌ８に代えて銅板等の導体板を用いて接続端Ｅ１〜Ｅ８を相互に接続してもよい。また、接続端Ｅ１〜Ｅ８に電気的に接続された複数のコネクタを各分岐器２に設けてもよい。そして、１つの分岐器２の出力接続端Ｅ３、Ｅ４に電気的に接続されたコネクタを、この分岐器２の終端接続端Ｅ７、Ｅ８に電気的に接続されたコネクタに接続したり、別の分岐器２の入力接続端Ｅ１、Ｅ２に電気的に接続されたコネクタに接続したりしてもよい。また、同様に、分岐器２と通信装置８２との間の接続、並びに、分岐器２と住戸端末８１及び通信装置８２との間の接続も、リード線Ｌ１〜Ｌ８を用いるのではなく、例えば、導体板又はコネクタを用いて行ってよい。
【００８０】
また、貫通孔３０２においてリード線Ｌ１〜Ｌ８は、上下方向に１列に並べられることに限定されない。実施形態１の貫通孔３０２の前後方向の幅は、リード線Ｌ１〜Ｌ８の直径よりもわずかに大きいのに対して、貫通孔３０２の前後方向の幅を更に大きくしてもよい。そして、貫通孔３０２において、リード線Ｌ１〜Ｌ８を上下方向及び前後方向に並べてもよい。あるいは、貫通孔３０２において、リード線Ｌ１〜Ｌ８を前後方向に１列に並べてもよい。
【００８１】
また、本体部３０は、段部３５ｂを有していなくてもよい。この場合、本体部３０が段部３５ｂを有している場合と比較して、貫通孔３０２の前後方向の幅を大きくすることができる。
【００８２】
また、一対の入力接続端Ｅ１、Ｅ２、一対の出力接続端Ｅ３、Ｅ４、一対の分岐接続端Ｅ５、Ｅ６及び一対の終端接続端Ｅ７、Ｅ８に、対ごとに異なる色を表示する表示部は、リード線Ｌ１〜Ｌ８の被覆に限定されない。例えば、接続端Ｅ１〜Ｅ８を端子台に設けた端子により構成し、端子台を表示部として用いてもよい。つまり、端子台は、一対の入力接続端Ｅ１、Ｅ２、一対の出力接続端Ｅ３、Ｅ４、一対の分岐接続端Ｅ５、Ｅ６及び一対の終端接続端Ｅ７、Ｅ８に、対ごとに異なる色を表示すればよい。具体的には、入力接続端Ｅ１、Ｅ２を、青色の端子台に設け、出力接続端Ｅ３、Ｅ４を、白色の端子台に設け、分岐接続端Ｅ５、Ｅ６を、黄色の端子台に設け、終端接続端Ｅ７、Ｅ８を、黒色の端子台に設けてもよい。あるいは、端子台の色を色分けするのに代えて、端子台のカバーを色分けしてもよい。つまり、端子台のカバーを表示部として用いてもよい。また、端子台及び端子台のカバーに限らず、接続端Ｅ１〜Ｅ８の各々の近傍に設けられた部材を、一対の入力接続端Ｅ１、Ｅ２、一対の出力接続端Ｅ３、Ｅ４、一対の分岐接続端Ｅ５、Ｅ６及び一対の終端接続端Ｅ７、Ｅ８の対ごとに色分けして表示部として用いてもよい。
【００８３】
また、一対の入力接続端Ｅ１、Ｅ２、一対の出力接続端Ｅ３、Ｅ４、一対の分岐接続端Ｅ５、Ｅ６及び一対の終端接続端Ｅ７、Ｅ８に、対ごとに異なる色を表示するのに代えて、対ごとに異なる模様、文字、図形又は記号を表示してもよい。例えば、リード線Ｌ１〜Ｌ８の被覆、接続端Ｅ１〜Ｅ８が設けられる端子台又は端子台のカバー等の、接続端Ｅ１〜Ｅ８の各々の近傍に設けられた部材に模様、文字、図形又は記号を付してもよい。
【００８４】
要するに、表示部は、一対の入力接続端Ｅ１、Ｅ２、一対の出力接続端Ｅ３、Ｅ４、一対の分岐接続端Ｅ５、Ｅ６及び一対の終端接続端Ｅ７、Ｅ８に、対ごとに異なる表示をすればよい。対ごとに異なる表示とは、例えば、対ごとに異なる色、模様、文字、図形若しくは記号、又はこれらの組み合わせである。
【００８５】
また、ねじ４６は、木ねじに限定されず、他の種類のねじであってもよい。例えば、ねじ４６は、タッピングねじであってもよい。
【００８６】
また、分岐器２の各構成の形状は、実施形態１で示した形状に限定されない。例えば、実施形態１では長方形状に形成されている構成が、正方形状に形成されていてもよい。また、実施形態１では直方体状に形成されている構成が、立方体状に形成されていてもよい。
【００８７】
（１．６）実施形態１のまとめ
以上説明したように、本実施形態に係る分岐器２は、箱状の本体部３０と、一対の入力リード線Ｌ１、Ｌ２と、一対の出力リード線Ｌ３、Ｌ４と、一対の分岐リード線Ｌ５、Ｌ６と、を備える。一対の入力リード線Ｌ１、Ｌ２は、一端（第１端１０１）が本体部３０の内部に位置し、他端（第２端１０２）が本体部３０の外部に位置する。一対の出力リード線Ｌ３、Ｌ４は、一端（第１端１０１）が本体部３０の内部において一対の入力リード線Ｌ１、Ｌ２に電気的に接続され、他端（第２端１０２）が本体部３０の外部に位置する。一対の分岐リード線Ｌ５、Ｌ６は、一端（第１端１０１）が本体部３０の内部において一対の入力リード線Ｌ１、Ｌ２に電気的に接続され、他端（第２端１０２）が本体部３０の外部に位置する。一対の入力リード線Ｌ１、Ｌ２、一対の出力リード線Ｌ３、Ｌ４及び一対の分岐リード線Ｌ５、Ｌ６の各々は、一端と他端との間の中間部１０５の一部からなる第１部位１０７と、中間部１０５のうち、第１部位１０７とは別の一部からなる第２部位１０８と、を含む。分岐器２は、第１通線部Ｓ１と、第２通線部Ｓ２と、を含む。第１通線部Ｓ１には、一対の入力リード線Ｌ１、Ｌ２、一対の出力リード線Ｌ３、Ｌ４及び一対の分岐リード線Ｌ５、Ｌ６の第１部位１０７が第１方向に沿って通される。第２通線部Ｓ２には、一対の入力リード線Ｌ１、Ｌ２、一対の出力リード線Ｌ３、Ｌ４及び一対の分岐リード線Ｌ５、Ｌ６の第２部位１０８が第１方向と交差する第２方向に沿って通される。
【００８８】
上記の構成によれば、一対の入力リード線Ｌ１、Ｌ２、一対の出力リード線Ｌ３、Ｌ４及び一対の分岐リード線Ｌ５、Ｌ６（リード線Ｌ１〜Ｌ６）において、中間部１０５の第１部位１０７は第１方向に沿って第１通線部Ｓ１に通され、第２部位１０８は第２方向に沿って第２通線部Ｓ２に通される。第１方向と第２方向とは互いに交差する。したがって、引っ張り等によりリード線Ｌ１〜Ｌ６に力が加えられたとき、リード線Ｌ１〜Ｌ６に加えられる力が第１方向と第２方向とに分散されやすい。これにより、第１方向と第２方向とが同じ方向である場合と比較して、リード線Ｌ１〜Ｌ６の一端（第１端１０１）が接続されている箇所からリード線Ｌ１〜Ｌ６が外れる可能性を低減できる。
【００８９】
また、本実施形態に係る分岐器２において、一対の入力リード線Ｌ１、Ｌ２、一対の出力リード線Ｌ３、Ｌ４及び一対の分岐リード線Ｌ５、Ｌ６の各々において、中間部１０５は、第１部位１０７と第２部位１０８との間で、本体部３０の外部において曲がることが好ましい。
【００９０】
上記の構成によれば、中間部１０５が、第１部位１０７と第２部位１０８との間で、本体部３０の外部ではなく内部において曲がる場合と比較して、本体部３０の内部形状の設計自由度を高めることができる。
【００９１】
また、本実施形態に係る分岐器２において、本体部３０には、貫通孔３０２が形成されていることが好ましい。貫通孔３０２は、第１通線部Ｓ１の少なくとも一部を構成する。分岐器２は、壁部（第３壁部３３ｅ）を更に備えることが好ましい。壁部は、本体部３０の外部において貫通孔３０２の開口面と対向する位置に配置され、本体部３０との間に第２通線部Ｓ２を形成する。
【００９２】
上記の構成によれば、壁部（第３壁部３３ｅ）が貫通孔３０２の開口面と対向することにより、貫通孔３０２の奥の本体部３０の内部の構成（リード線Ｌ１〜Ｌ６等）を保護することができる。
【００９３】
また、本実施形態に係る分岐器２において、回路基板５１を更に備えることが好ましい。回路基板５１は、本体部３０の内部において保持されており、配線Ｗ１〜Ｗ４が形成されている。一対の入力リード線Ｌ１、Ｌ２、一対の出力リード線Ｌ３、Ｌ４及び一対の分岐リード線Ｌ５、Ｌ６の各々の一端（第１端１０１）は、回路基板５１に接続されている。一対の入力リード線Ｌ１、Ｌ２は、回路基板５１の配線Ｗ１〜Ｗ４を介して一対の出力リード線Ｌ３、Ｌ４及び一対の分岐リード線Ｌ５、Ｌ６と電気的に接続されている。
【００９４】
上記の構成によれば、一対の入力リード線Ｌ１、Ｌ２は、回路基板５１の配線Ｗ１〜Ｗ４を介して一対の出力リード線Ｌ３、Ｌ４及び一対の分岐リード線Ｌ５、Ｌ６と電気的に接続されている。したがって、一対の入力リード線Ｌ１、Ｌ２を直接一対の出力リード線Ｌ３、Ｌ４及び一対の分岐リード線Ｌ５、Ｌ６と接続する場合と比較して、一対の入力リード線Ｌ１、Ｌ２と一対の出力リード線Ｌ３、Ｌ４及び一対の分岐リード線Ｌ５、Ｌ６との電気的な接続を容易に実現できる。
【００９５】
また、本実施形態に係るインターホンシステム１は、分岐器２を複数備える。インターホンシステム１は、複数の住戸端末８１と、通信装置８２と、を更に備える。複数の住戸端末８１は、複数の分岐器２に電気的に接続される。通信装置８２は、複数の分岐器２を介して複数の住戸端末８１に電気的に接続され複数の住戸端末８１と通信する。
【００９６】
上記の構成によれば、引っ張り等によりリード線Ｌ１〜Ｌ６に力が加えられたとき、リード線Ｌ１〜Ｌ６に加えられる力が第１方向と、第１方向と交差する第２方向とに分散されやすい。これにより、第１方向と第２方向とが同じ方向である場合と比較して、リード線Ｌ１〜Ｌ６の一端（第１端１０１）が接続されている箇所からリード線Ｌ１〜Ｌ６が外れる可能性を低減できる。
【００９７】
（２）実施形態２
次に、実施形態２に係る分岐器２ａについて、図９、１０を参照して説明する。実施形態１と同様の構成については、同一の符号を付して説明を省略する。
【００９８】
実施形態２の分岐器２ａは、実施形態１のインターホンシステム１（図８参照）の分岐器２（図８参照）に代えて用いることができる。
【００９９】
（２．１）分岐器の外観形状
分岐器２ａにおいて、筐体９は、実施形態１の筐体３に相当するが、筐体３とは形状が異なる。
【０１００】
筐体９は、本体部９０を有している。本実施形態では、本体部９０は、筐体９の全体を構成している。本体部９０は、ボディ９ａと、ボディ９ａに結合されるカバー９ｂと、を含む。カバー９ｂは、ボディ９ａと同一形状なので、以下では、カバー９ｂについての説明は適宜省略する。なお、カバー９ｂは、ボディ９ａに対して１８０°回転した向きに配置される。
【０１０１】
ボディ９ａは、一の面に開口部９０ａが形成された箱状（直方体状）に形成されている。ボディ９ａは、板状の対向部９５ａと、第１、第２、第３及び第４側壁９１ａ、９２ａ、９３ａ及び９４ａと、を含む。開口部９０ａは、対向部９５ａに向かい合う領域に形成されている。第１、第２、第３及び第４側壁９１ａ、９２ａ、９３ａ及び９４ａは、対向部９５ａの厚み方向に沿って対向部９５ａの周縁から突出している。第１側壁９１ａと第２側壁９２ａとが互いに対向し、第３側壁９３ａと第４側壁９４ａとが互いに対向している。
【０１０２】
ボディ９ａは、対向部９５ａの厚み方向に沿って対向部９５ａから開口部９０ａ側へ突出する２つの保持部９６ａを更に含む。各保持部９６ａはそれぞれ、基部９６１と、４つのリブ９６２と、を有している。基部９６１及び各リブ９６２は、板状に形成されている。２つの保持部９６ａのうち一方の保持部９６ａの基部９６１は、第１側壁９１ａと対向しており、他方の保持部９６ａの基部９６１は、第２側壁９２ａと対向している。各保持部９６ａにおいて、４つのリブ９６２は、基部９６１の厚み方向に沿って基部９６１から突出している。
【０１０３】
回路実装基板５の回路基板５１は、ボディ９ａの一方の保持部９６ａの２つのリブ９６２の間に挟まれるように保持される。さらに、回路基板５１は、ボディ９ａの他方の保持部９６ａの２つのリブ９６２の間に挟まれるように保持される。さらに、回路基板５１は、カバー９ｂでも同様に、２つの保持部の各々において、２つのリブの間に挟まれるように保持される。
【０１０４】
ボディ９ａは、引掛部９７ａと、引掛爪９８ａと、を更に含む。引掛部９７ａは、角筒状に形成されており、第１側壁９１ａから突出している。すなわち、引掛部９７ａには、貫通孔である通過孔９７０ａが形成されている。引掛爪９８ａは、鉤状に形成されている。また、カバー９ｂも同様に、通過孔９７０ｂが形成された引掛部９７ｂと、引掛爪９８ｂと、を含む。
【０１０５】
カバー９ｂは、次のようにしてボディ９ａに結合される。ボディ９ａの引掛爪９８ａがカバー９ｂの通過孔９７０ｂに通され、カバー９ｂの引掛部９７ｂに引っ掛けられる。さらに、カバー９ｂの引掛爪９８ｂがボディ９ａの通過孔９７０ａに通され、ボディ９ａの引掛部９７ａに引っ掛けられる。
【０１０６】
ボディ９ａの対向部９５ａには、貫通孔９５０が形成されている。貫通孔９５０は、長方形状の対向部９５ａの角部に形成されている。貫通孔９５０は、対向部９５ａを厚み方向に貫通している。
【０１０７】
第２側壁９２ａには、貫通孔９５０とつながった貫通孔９５１が形成されている。貫通孔９５１は、第２側壁９２ａを厚み方向に貫通している。
【０１０８】
また、カバー９ｂにも、ボディ９ａの貫通孔９５０及び貫通孔９５１と同様の、貫通孔９５４及び貫通孔９５５が形成されている。
【０１０９】
（２．２）リード線の配置
次に、分岐器２ａにおけるリード線Ｌ１〜Ｌ８の配置について説明する。図９、１０では図を簡略化するためリード線Ｌ１〜Ｌ８のうち入力リード線Ｌ１及び終端リード線Ｌ７のみを図示している。以下の説明では、入力リード線Ｌ１の配置についてのみ説明するが、リード線Ｌ１〜Ｌ８はそれぞれ同様に配置される。
【０１１０】
入力リード線Ｌ１は、第１端１０１がボードインコネクタ５２を介して回路基板５１に接続されている。入力リード線Ｌ１は、回路基板５１から延びて貫通孔９５１に通される。すなわち、入力リード線Ｌ１の第２端１０２は、貫通孔９５１を通って本体部９０の外部に引き出される。そして、入力リード線Ｌ１の第１端１０１と第２端１０２との間の中間部１０５は、本体部９０の内部の通線部Ｓ３、Ｓ４、及び、貫通孔９５１の内部の空間である通線部Ｓ５に通される。
【０１１１】
通線部Ｓ３は、本体部９０のボディ９ａの内部の空間のうち、保持部９６ａのリブ９６２と、第３側壁９３ａとの間の空間である。すなわち、通線部Ｓ３は、図１０の紙面上下方向に沿った空間である。入力リード線Ｌ１の中間部１０５の所定の部位２０３は、リブ９６２及び第３側壁９３ａにガイドされることにより、紙面上下方向に沿って通線部Ｓ３に通される。
【０１１２】
通線部Ｓ４は、本体部９０のボディ９ａの内部の空間のうち、保持部９６ａの基部９６１と、第２側壁９２ａとの間の空間である。すなわち、通線部Ｓ４は、図１０の紙面上下方向と交差する紙面左右方向に沿った空間である。入力リード線Ｌ１の中間部１０５の所定の部位２０４は、基部９６１及び第２側壁９２ａにガイドされることにより、紙面左右方向に沿って通線部Ｓ４に通される。
【０１１３】
通線部Ｓ５は、図１０の紙面左右方向と交差する紙面上下方向に沿った空間である。入力リード線Ｌ１の中間部１０５の所定の部位２０５は、貫通孔９５１の内部において、貫通孔９５１の周りの第２側壁９２ａにガイドされることにより、紙面上下方向に沿って通線部Ｓ５に通される。入力リード線Ｌ１の第２端１０２は、通線部Ｓ５から、例えば、紙面下方に引き出される。
【０１１４】
通線部Ｓ３と通線部Ｓ４とはつながっており、本体部９０の内部において交差している。すなわち、通線部Ｓ３と通線部Ｓ４とは、ボディ９ａとカバー９ｂとの間において交差している。また、通線部Ｓ４と通線部Ｓ５とはつながっており、本体部９０の内部において交差している。すなわち、通線部Ｓ４と通線部Ｓ５とは、ボディ９ａとカバー９ｂとの間において交差している。したがって、入力リード線Ｌ１の中間部１０５は、通線部Ｓ３、Ｓ４、Ｓ５に通されることにより、本体部９０の内部において曲がる。
【０１１５】
このように、入力リード線Ｌ１の中間部１０５は、通線部Ｓ３、Ｓ５では紙面上下方向に、通線部Ｓ４では紙面左右方向に沿っている。したがって、入力リード線Ｌ１が引っ張られたとき、引っ張る力が上下方向及び左右方向に分散されやすいので、入力リード線Ｌ１が回路基板５１から外れる可能性を低減できる。さらに、入力リード線Ｌ１が引っ張られたとき、通線部Ｓ３、Ｓ４、Ｓ５を形成しているリブ９６２、第３側壁９３ａ、基部９６１、第２側壁９２ａ及び第２側壁９２ａのうち少なくとも１つにリード線Ｌ１が引っ掛かると、回路基板５１付近でリード線Ｌ１に加わる力が低減する。これによっても、入力リード線Ｌ１が回路基板５１から外れる可能性を低減できる。
【０１１６】
通線部Ｓ３、Ｓ４、Ｓ５はそれぞれ、第１通線部又は第２通線部に相当する。通線部Ｓ３を第１通線部、通線部Ｓ４を第２通線部として見ると、第１通線部に通される所定の部位２０３は、図１０の紙面上下方向に沿って第１通線部に通される。第２通線部に通される所定の部位２０４は、紙面上下方向と交差する紙面左右方向に沿って第２通線部に通される。また、第１通線部及び第２通線部は、本体部９０の内部に位置する。より詳細には、第１通線部及び第２通線部は、ボディ９ａとカバー９ｂとの間に形成されている。
【０１１７】
また、通線部Ｓ４を第１通線部、通線部Ｓ５を第２通線部として見ると、第１通線部に通される所定の部位２０４は、図１０の紙面左右方向に沿って第１通線部に通され、第２通線部に通される所定の部位２０５は、紙面左右方向と交差する紙面上下方向に沿って第２通線部に通される。
【０１１８】
ボディ９ａ及びカバー９ｂは同一形状なので、入力リード線Ｌ１の中間部１０５をガイドするリブ９６２、第３側壁９３ａ、基部９６１、第２側壁９２ａ及び貫通孔９５１と同じ構成が、カバー９ｂにも形成されている。つまり、カバー９ｂも、通線部Ｓ３、Ｓ４、Ｓ５を有している。したがって、通線部Ｓ３、Ｓ４、Ｓ５に入力リード線Ｌ１の中間部１０５を通す作業は、ボディ９ａ又はカバー９ｂに対して行うことができる。また、通線部Ｓ３、Ｓ４、Ｓ５に入力リード線Ｌ１の中間部１０５を通す作業は、ボディ９ａにカバー９ｂを結合する前であっても行うことができる。
【０１１９】
分岐器２を組み立てる手順の一例を説明する。まず、入力リード線Ｌ１の第１端１０１が接続された回路基板５１を、ボディ９ａに保持する。次に、入力リード線Ｌ１の中間部１０５を、通線部Ｓ３、Ｓ４に通す。さらに、入力リード線Ｌ１の第２端１０２を貫通孔９５１からボディ９ａの外に引き出す。この状態で、ボディ９ａにカバー９ｂを結合する。これにより、入力リード線Ｌ１は、貫通孔９５１を通って本体部９０の内部から外部へ引き出された状態となる。なお、回路基板５１をカバー９ｂに保持し、入力リード線Ｌ１をカバー９ｂの貫通孔９５５からカバー９ｂの外に引き出してもよい。
【０１２０】
入力リード線Ｌ２、出力リード線Ｌ３、Ｌ４、分岐リード線Ｌ５、Ｌ６及び終端リード線Ｌ７、Ｌ８も、入力リード線Ｌ１と同様に通線部Ｓ３、Ｓ４、Ｓ５に通される。なお、リード線Ｌ１〜Ｌ８のうち、一部のリード線をボディ３ａの貫通孔９５１から本体部９０の外部へ引き出して、残りのリード線をカバー３ｂの貫通孔９５５から本体部９０の外部へ引き出してもよい。
【０１２１】
また、貫通孔９５１に代えて貫通孔９５０に、リード線Ｌ１〜Ｌ８のうち一部又は全部のリード線を通してもよい。すなわち、貫通孔９５０の内部の空間を通線部としてもよい。同様に、貫通孔９５５に代えて貫通孔９５４に、リード線Ｌ１〜Ｌ８のうち一部又は全部のリード線を通してもよい。すなわち、貫通孔９５４の内部の空間を通線部としてもよい。
【０１２２】
（２．３）実施形態２の変形例
以下に、実施形態２の変形例について説明する。
【０１２３】
基部９６１及びリブ９６２に代えて、本体部９０の内部に１又は複数のピンを設けてもよい。そして、ピンによりリード線Ｌ１〜Ｌ８をガイドしてもよい。つまり、ピンにより通線部Ｓ３、Ｓ４を形成してもよい。例えば、図１０において保持部９６ａの基部９６１を省略して、複数のリブ９６２をピンとして用いて、複数のピンと第３側壁９３ａ及び第２側壁９２ａとの間の空間である通線部にリード線Ｌ１〜Ｌ８を通してもよい。あるいは、複数のピンの間の空間である通線部にリード線Ｌ１〜Ｌ８を通してもよい。
【０１２４】
（２．４）実施形態２のまとめ
以上説明したように、本実施形態に係る分岐器２ａにおいて、第１通線部（例えば通線部Ｓ３）は、本体部９０の内部に位置する。
【０１２５】
上記の構成によれば、第１通線部（例えば通線部Ｓ３）が本体部９０の外部に位置する場合と比較して、本体部９０の外部形状の設計自由度を高めることができる。
【０１２６】
また、本実施形態に係る分岐器２ａにおいて、本体部９０は、ボディ９ａと、カバー９ｂと、を含むことが好ましい。カバー９ｂは、ボディ９ａに結合される。第１通線部（例えば通線部Ｓ３）及び第２通線部（例えば通線部Ｓ４）は、ボディ９ａとカバー９ｂとの間に形成されていることが好ましい。
【０１２７】
上記の構成によれば、ボディ９ａとカバー９ｂとが分解された状態で、第１通線部（例えば通線部Ｓ３）及び第２通線部（例えば通線部Ｓ４）にリード線Ｌ１〜Ｌ６の中間部１０５を通すことができる。したがって、本体部９０が分解不能な１つの部材からなる場合と比較して、第１通線部及び第２通線部にリード線Ｌ１〜Ｌ６の中間部１０５を通すことが容易である。
【０１２８】
上述した各実施形態は、変形例も含めて、適宜組み合わせて実現されてもよい。
【符号の説明】
【０１２９】
１  インターホンシステム
２、２ａ  分岐器
３０、９０  本体部
９ａ  ボディ
９ｂ  カバー
３３ｅ  第３壁部（壁部）
５１  回路基板
８１  住戸端末
８２  通信装置
１０１  第１端（一端）
１０２  第２端（他端）
１０５  中間部
１０７  第１部位
１０８  第２部位
３０２  貫通孔
Ｌ１，Ｌ２  入力リード線
Ｌ３、Ｌ４  出力リード線
Ｌ５、Ｌ６  分岐リード線
Ｓ１  第１通線部
Ｓ２  第２通線部
【図１】
2019091832.tif 000003
【図２】
2019091832.tif 000004
【図３】
2019091832.tif 000005
【図４】
2019091832.tif 000006
【図５】
2019091832.tif 000007
【図６】
2019091832.tif 000008
【図７】
2019091832.tif 000009
【図８】
2019091832.tif 000010
【図９】
2019091832.tif 000011
【図１０】
2019091832.tif 000012